(57)【要約】【課題】スピニングリールのスプールにおいて、バックラッシュを確実に防止する。【解決手段】スプール４は、糸巻胴部７ａと、後フランジ部１８ｅと、前フランジ部８とを有している。前フランジ部８は、糸巻胴部７ａの前端部から径方向外方に突出する第１突出部１７ａと、第１突出部１７ａの先端部から前端部側に向かって拡径するように前方に突出する第１傾斜部１７ｂとを有している。後フランジ部１８ｅは、糸巻胴部７ａの後端部から第１突出部１７ａの径方向長さＡと略同一長さになるように径方向外方に突出する第２突出部１８ａと、第１傾斜部１７ｂの径方向長さＣと略同一長さになるように第２突出部１８ａの先端部から後端部側に向かって拡径すように後方に突出する第２傾斜部１８ｂとを有している。【選択図】図４
2007111035.tif 000002
【特許請求の範囲】
【請求項１】
リール本体に対して前後移動自在に設けられ、釣り糸が外周に巻き付けられるスピニングリールのスプールであって、
前記釣り糸が外周に巻き付けられる円筒状の糸巻胴部と、
前記糸巻胴部の前端部から径方向外方に突出する第１突出部と、前記第１突出部の先端部から前端部側に向かって拡径するように前方に突出する第１傾斜部とを有する前フランジ部と、
前記糸巻胴部の後端部から前記第１突出部の径方向長さと略同一長さになるように径方向外方に突出する第２突出部と、前記第２突出部の先端部から後端部側に向かって拡径するように後方に突出する第２傾斜部とを有する後フランジ部と、
を備えたスピニングリールのスプール。
【請求項２】
前記第１傾斜部の径方向長さは、前記第２傾斜部の径方向長さと略同一である、請求項１に記載のスピニングリールのスプール。
【請求項３】
前記第１傾斜部は、前記第１突出部の一部と別体で形成され、前記第１突出部の残りと一体形成された環状部材である、請求項１又は２に記載のスピニングリールのスプール。
【請求項４】
前記第２傾斜部の先端部から後方に突出する円筒部をさらに備えている、請求項１から３のいずれか１項に記載のスピニングリールのスプール。
【請求項５】
前記第２傾斜部は、基端部が前記第２突出部の先端部と尖突状に接続され、かつ先端部が前記円筒部の前端部と滑らかに接続され、外形が面取り形状になるように形成されている、請求項４に記載のスピニングリールのスプール。
【請求項６】
前記第２傾斜部は、前記第２突出部及び前記円筒部と一体成形されている、請求項４又は５に記載のスピニングリールのスプール。
【請求項７】
前記糸巻胴部は、前記第１突出部及び前記第２突出部と一体成形されている、請求項１から６のいずれか１項に記載のスピニングリールのスプール。
【発明の詳細な説明】
【技術分野】
【０００１】
本発明は、スプール、特に、リール本体に対して前後移動自在に設けられ、釣り糸が外周に巻き付けられるスピニングリールのスプールに関する。
【背景技術】
【０００２】
一般に、スピニングリールは、リール本体と、リール本体に回転自在に支持されたロータと、ロータの前方に配置され外周に釣り糸が巻き付けられるスプールとを備えている。
【０００３】
このようなスプールは、外周に釣り糸が巻き付けられる糸巻胴部と、糸巻胴部の前端部に糸巻胴部の最大外径よりも大径に設けられた前フランジ部と、糸巻胴部の後端部に糸巻胴部の最大外径よりも大径かつ筒状に設けられたスカート部とを有している。糸巻胴部及びスカート部は、大小２つの筒状部材であって、たとえば合成樹脂により前フランジ部とともに一体成形されている（たとえば、特許文献１参照）。このスプールでは、前フランジ部及びスカート部の径方向外方への突出長さが略同一長さになるように形成されており、このため前フランジ部の先端部位置の高さまで釣り糸を糸巻胴部に巻き付けることができる。
【特許文献１】特開２０００−５０７７４号公報
【発明の開示】
【発明が解決しようとする課題】
【０００４】
前記従来のスプールは、前フランジ部及びスカート部の径方向外方への突出長さが略同一長さになるように形成されているので、釣り糸を前フランジ部の先端部位置の高さまで巻き付けることができる。しかし、釣り糸を前フランジ部の先端部位置の高さの限界まで巻き付けると、キャスティング時において、釣り糸が束になって前フランジ部より前方へ糸落ちしてしまうことがある。このように糸落ちが生じた状態でさらに釣り糸が繰り出されると、ループ状の釣り糸が絡まってしまう、いわゆるバックラッシュが生じるおそれがある。
【０００５】
本発明の課題は、スピニングリールのスプールにおいて、バックラッシュを確実に防止することにある。
【課題を解決するための手段】
【０００６】
発明１に係るスピニングリールのスプールは、リール本体に対して前後移動自在に設けられ釣り糸が外周に巻き付けられるスピニングリールのスプールであって、釣り糸が外周に巻き付けられる円筒状の糸巻胴部と、前フランジ部と、後フランジ部とを備えている。前フランジ部は、糸巻胴部の前端部から径方向外方に突出する第１突出部と、第１突出部の先端部から前端部側に向かって拡径するように前方に突出する第１傾斜部とを有している。後フランジ部は、糸巻胴部の後端部から第１突出部の径方向長さと略同一長さになるように径方向外方に突出する第２突出部と、第２突出部の先端部から後端部側に向かって拡径するように後方に突出する第２傾斜部とを有している。
【０００７】
このスプールでは、後フランジ部は、糸巻胴部の後端部から第１突出部の径方向長さと略同一長さになるように径方向外方に突出する第２突出部を有しているので、釣人は第１突出部及び第２突出部の先端部位置（第１傾斜部及び第２傾斜部の基端部位置）を最大巻き付け位置の目安として釣り糸を糸巻胴部に巻き付けることにより、釣り糸を前フランジ部の先端部位置の高さの限界まで巻き付けることを防止できる。したがって、釣り糸が束になって前フランジ部より前方へ糸落ちすることがなくなるので、バックラッシュを防止することができる。
【０００８】
さらに、ここでは、前フランジ部は、第１突出部の先端部から前端部側に向かって拡径するように前方に突出する第１傾斜部を有しているので、釣り糸が第１傾斜部に乗り上げたとしても、それ以上前方に釣り糸が移動しにくくなる。したがって、このような第１傾斜部を設けることにより、バックラッシュを確実に防止することができる。
【０００９】
発明２に係るスプールは、発明１のスプールにおいて、第１傾斜部の径方向長さは、第２傾斜部の径方向長さと略同一である。この場合、意匠性を向上できる。
【００１０】
発明３に係るスプールは、発明１又は２のスプールにおいて、第１傾斜部は、第１突出部の一部と別体で形成され、第１突出部の残りと一体形成された環状部材である。この場合、第１傾斜部と第１突出部の残りとを第１突出部の一部と異なる材質の部材で形成できるので、たとえば硬質材料によって第１傾斜部と第１突出部の残りを形成することで釣り糸が接触することによる傷付きを防止できる。また、第１傾斜部と第１突出部の残りを環状部材にすることで軽量化を図れるとともに、第１突出部の一部への装着固定が容易になる。さらに、傾斜を有する第１傾斜部を別部材にすることにより、第１傾斜部及び第１突出部の形成が容易になる。
【００１１】
発明４に係るスプールは、発明１から３のいずれかのスプールにおいて、第２傾斜部の先端部から後方に突出する円筒部をさらに備えている。この場合、第２傾斜部の先端部からさらに後方に釣り糸が移動するのを防止できる。
【００１２】
発明５に係るスプールは、発明４のいずれかのスプールにおいて、第２傾斜部は、基端部が第２突出部の先端部と尖突状に接続され、かつ先端部が円筒部の前端部と滑らかに接続され、外形が面取り形状になるように形成されている。この場合、第２突出部の先端部位置と第２傾斜部の基端部位置との境界部分が明確になるので、最大巻き付け位置の目安が把握しやすくなるとともに、湾曲した面取り形状にすることで、意匠性を向上できる。
【００１３】
発明６に係るスプールは、発明４又は５のスプールにおいて、第２傾斜部は、第２突出部及び円筒部と一体成形されている。この場合、第２突出部、第２傾斜部及び円筒部を一体成形することにより、スプールの強度を高く維持できる。
【００１４】
発明７に係るスプールは、発明１から６のいずれかのスプールにおいて、糸巻胴部は、第１突出部及び第２突出部と一体成形されている。この場合、たとえば第１突出部、糸巻胴部、第２突出部、第２傾斜部及び円筒部を一体成形することにより、スプールの強度を高く維持できるとともに、全体の部品点数を減少できる。
【発明の効果】
【００１５】
本発明によれば、スピニングリールのスプールにおいて、前フランジ部は、第１突出部の先端部から前端部側に向かって拡径するように前方に突出する第１傾斜部を有し、スカート部は、糸巻胴部の後端部から第１突出部の径方向長さと略同一長さになるように径方向外方に突出する第２突出部を有しているので、釣り糸が束になって前フランジ部より前方へ糸落ちすることがなくなるので、バックラッシュを防止できる。
【発明を実施するための最良の形態】
【００１６】
本発明の一実施形態を採用したスピニングリールは、図１に示すように、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００１７】
リール本体２は、リールボディ２ａと、リールボディ２ａから斜め上前方に延びる竿取付脚２ｂとを有している。リールボディ２ａは、図２に示すように、内部に空間を有しており、その空間内には、ロータ３をハンドル１の回転に連動して回転させるロータ駆動機構５と、スプール４を前後に移動させて釣り糸を均一に巻き取るためのオシレーティング機構６とが設けられている。
【００１８】
ロータ駆動機構５は、図２に示すように、ハンドル１が固定されたハンドル軸１０とともに回転するフェースギア１１と、このフェースギア１１に噛み合うピニオンギア１２とを有している。ピニオンギア１２は筒状に形成されており、ピニオンギア１２の前部はロータ３の中心部を貫通し、ナット１３によりロータ３に固定されている。また、ピニオンギア１２は、その軸方向の中間部と後端部とが、それぞれ軸受１４ａ、１４ｂを介してリール本体２に回転自在に支持されている。
【００１９】
オシレーティング機構６は、スプール４の中心部にドラグ機構６０を介して連結されたスプール軸１５を前後方向に移動させてスプール４を同方向に移動させるための機構である。オシレーティング機構６は、図２に示すように、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３はピニオンギア１２に噛み合っている。
【００２０】
ロータ３は、図２に示すように、円筒部３０と、円筒部３０の側方に互いに対向して設けられた第１ロータアーム３１及び第２ロータアーム３２とを有している。円筒部３０と第１ロータアーム３１及び第２ロータアーム３２とは、たとえばアルミニウム合金製であり一体成形されている。
【００２１】
第１ロータアーム３１の先端の外周側には、図２に示すように、第１ベール支持部材４０が揺動自在に装着されている。第１ベール支持部材４０の先端には、釣り糸をスプール４に案内するためのラインローラ４１が装着されている。また、第２ロータアーム３２の先端内周側には、第２ベール支持部材４２が揺動自在に装着されている。
【００２２】
ラインローラ４１と第２ベール支持部材４２との間には、線材を略Ｕ状に湾曲させた形状のベール４３が固定されている。これらの第１ベール支持部材４０、第２ベール支持部材４２、ラインローラ４１及びベール４３により釣り糸をスプール４に案内するベールアーム４４が構成される。ベールアーム４４は、図２に示す糸案内姿勢とそれから反転した糸開放姿勢との間で揺動自在である。
【００２３】
ロータ３の円筒部３０の内部には、ロータ３の逆転を禁止・解除するための逆転防止機構５０が配置されている。逆転防止機構５０は、図２に示すように、内輪が遊転するローラ型のワンウェイクラッチ５１と、ワンウェイクラッチ５１を作動状態（逆転禁止状態）と非作動状態（逆転許可状態）とに切り換える切換機構５２とを有している。
【００２４】
スプール４は、図２に示すように、ロータ３の第１ロータアーム３１と第２ロータアーム３２との間に配置されており、スプール軸１５の先端にドラグ機構６０を介して装着されている。
【００２５】
スプール４は、図３に示すように、外周に釣り糸が巻かれる筒状の糸巻胴部７ａと、糸巻胴部７ａの後端部に一体で形成された大径筒状のスカート部７ｂと、糸巻胴部７ａの前端部に設けられた大径の前フランジ部８と、前フランジ部８を糸巻胴部７ａに固定するための前フランジ固定部材９とを有している。スプール４は、外周部がたとえばアルミニウム合金等の金属製の部材を鍛造加工することによって形成された大小２段の円筒状の部材と、円筒状の部材の内周部に合成樹脂製の部材がインサート成形された筒状の部材とで構
成されたハイブリッド型のものであって、第１軸受５６及び第２軸受５７によりスプール軸１５に回転自在に装着されている。
【００２６】
糸巻胴部７ａは、図３に示すように、金属製部材により円筒状に形成された円筒部１６ａと、円筒部１６ａの前部内周側に形成された雌ねじ部１６ｂと、円筒部１６ａの後部内周側に一体的に延びる板状の内周部１６ｃとを有している。雌ねじ部１６ｂは、前フランジ固定部材９を糸巻胴部７ａに着脱自在に装着するために設けられ、前フランジ固定部材９の雄ねじ部９ｂが螺合可能である。
【００２７】
内周部１６ｃの内側には、有底筒状の第１支持部１６ｄ及び第２支持部１６ｅが前後にそれぞれ形成されている。第１支持部１６ｄ及び第２支持部１６ｅの内側には、第１軸受５６及び第２軸受５７が装着されており、第１軸受５６及び第２軸受５７は、筒状の保持部材７０を介してスプール軸１５に回転自在に装着されている。
【００２８】
前フランジ部８は、図３に示すように、糸巻胴部７ａの前端部に一体形成された第１部材８ａと、第１部材８ａの先端部に着脱自在に装着された第２部材８ｂとを有している。第１部材８ａは、糸巻胴部７ａと一体成形された金属製の部材であって、糸巻胴部７ａの前端部と滑らかに連結されている。第１部材８ａは、内側面が前端部側に向かって拡径するように前方に僅かに傾斜している。第１部材８ａは、糸巻き胴部７ａの前端部から径方向外方に突出する第１突出部１７ａの一部を構成している。
【００２９】
第２部材８ｂは、第１部材８ａと別体で形成された金属製又は硬質セラミック製環状部材である。第２部材８ｂは、第１部材８ａから径方向外方に突出する第１突出部１７ａの残りである突出部１７ｅと、突出部１７ｅから前方に折れ曲がり、前端部側に向かって拡径するように前方に突出する第１傾斜部１７ｂとを有している。第２部材８ｂは、第１部材８ａの先端部前側を覆うように後方にも突出した形状になっており、このため第１部材８ａの先端部後側が外方に露出する段差部１７ｃが生成されている。また、第２部材８ｂにおいて、第１傾斜部１７ｂと突出部１７ｅとの境界部分には、段差部１７ｃ側に尖突状となる第１角部１７ｄが形成されており、この第１角部１７ｄが釣り糸の最大巻き付け位置Ｌとなる目安になっている。したがって、第２部材８ｂの第１角部１７ｄより径方向内方にある突出部（図３の破線より径方向内方の部分）１７ｅと第１部材８ａとで第１突出部１７ａが構成される。
【００３０】
スカート部７ｂは、図２に示すように、ロータ３の円筒部３０を覆うように筒状に糸巻胴部７ａと一体成形されている。スカート部７ｂは、たとえばアルミニウム合金等の金属製の部材を鍛造加工することにより形成されている。
【００３１】
スカート部７ｂは、図３及び図４に示すように、後フランジ部１８ｅと、後フランジ部１８ｅの先端部から後方に突出する円筒部１８ｃとを有している。後フランジ部１８ｅは、糸巻胴部７ａの後端部から第１突出部１７ａの径方向長さＡと略同一長さになるように径方向外方に突出する第２突出部１８ａと、第１傾斜部１７ｂの径方向長さＣと略同一長さになるように第２突出部１８ａの先端部から後端部側に向かって拡径するように後方に突出する第２傾斜部１８ｂとを有している。円筒部１８ｃは、第２傾斜部１８ｂの先端部から後方に突出している。
【００３２】
第２突出部１８ａ、第２傾斜部１８ｂ及び円筒部１８ｃは、糸巻胴部７ａと一体成形されており、このため第１突出部１７ａ、糸巻胴部７ａ、第２突出部１８ａ、第２傾斜部１８ｂ及び円筒部１８ｃは、金属製の部材により一体成形されている、第２突出部１８ａは、糸巻胴部７ａの後端部と滑らかに連結されており、内側面が後端部側に向かって拡径するように後方に傾斜している。第２傾斜部１８ｂは、図１２に示すように、基端部が第２突出部１８ａの先端部と尖突状に接続され、かつ先端部が円筒部１８ｃの前端部と滑らかに接続され、外形が半径Ｒ（たとえば、５〜８ｍｍ程度）の小径の円弧の面取り形状になるように形成されている。具体的には、第２角部１８ｄまでの第２突出部１８ａの断面における内側の線は、スプール軸と直交する直線Ｍに対して角度θ１の直線で構成され、第２傾斜部１８ｂは、半径Ｒの円弧で構成されあり、かつ第２角部１８ｄでの円弧への接線が直線Ｍに対して角度θ２で交差している。このため、第２傾斜部１８ｂの基端部及び第２突出部１８ａの先端部との境界部分には、尖突状となる第２角部１８ｄが形成されており、この第２角部１８ｄが第１角部１７ｄとともに釣り糸の最大巻き付け位置Ｌとなる目安になっている。
【００３３】
次に、スプール４の寸法関係を図４に示す側面拡大断面図を用いて説明する。
【００３４】
第１突出部１７ａの径方向長さＡは、図４に示すように、第２突出部１８ａの径方向長さＢと略同一である。第１傾斜部１７ｂの径方向長さＣは、第２傾斜部１８ｂの径方向長さＤと略同一である。ここで、前フランジ部８の最外径（第１傾斜部１７ｂの最外径）Ｅは、糸巻胴部７ａの最外径（円筒部１６ａの最外径）Ｇと、第１突出部１７ａの径方向長さＡと、第１傾斜部１７ｂの径方向長さＣとを和算したものである。また、スカート部７ｂの最外径（円筒部１８ｃの最外径）Ｆは、糸巻胴部７ａの最外径（円筒部１６ａの最外径）Ｇと、第２突出部１８ａの径方向長さＢと、第２傾斜部１８ｂの径方向長さＤとを和算したものである。したがって、前フランジ部８の最外径（第１傾斜部１７ｂの最外径）Ｅは、スカート部７ｂの最外径（円筒部１８ｃの最外径）Ｆと略同一になっている。
【００３５】
具体的には、糸巻胴部７ａの直径が５０．０ｍｍ以上６０．０ｍｍ以下の範囲の長さであるとき、すなわち糸巻胴部７ａの半径（糸巻胴部７ａの最外径、円筒部１６ａの最外径）Ｇが２５．０ｍｍ以上３０．０ｍｍ以下の範囲の長さであるとき、第１傾斜部１７ｂの径方向長さＣ及び第２傾斜部１８ｂの径方向長さＤは、２．５ｍｍ以上３．０ｍｍ以下の範囲の長さである。第１突出部１７ａの径方向長さＡ及び第２突出部１８ａの径方向長さＢは、１０．０ｍｍ以上１２．０ｍｍ以下の範囲の長さである。また、第１傾斜部１７ｂの径方向長さＣ及び第２傾斜部１８ｂの径方向長さＤは、第１突出部１７ａの径方向長さＡ及び第２突出部１８ａの径方向長さＢの２５％以上３０％以下の範囲の長さである。ここでは、第１傾斜部１７ｂの径方向長さＣ及び第２傾斜部１８ｂの径方向長さＤは、第１突出部１７ａの径方向長さＡ及び第２突出部１８ａの径方向長さＢに対して比較的短くなるように形成されている。
【００３６】
また、スカート部７ｂの外周の前端側には、図１に示すように、釣り糸の先端部を係止するための釣糸係止部８０が装着可能な溝部７ｃが形成され、溝部７ｃの前端部分には、スカート部７ｂを貫通し釣糸係止部８０が取付可能な図示しない貫通孔が形成されている。溝部７ｃは、後方が略半円形となるように他の部分より凹んで形成された凹部であって、溝部７ｃの前端部側の端部は、それぞれ側方に広がるように湾曲したアール形状となっている。このように溝部７ｃの前端部側の端部をアール形状に形成することにより、従来のように溝部７ｃの前端部側の端部を直線的に形成した場合に比して、釣り糸が溝部７ｃに接触したときに釣り糸が傷付くのを防止できる。
【００３７】
前フランジ固定部材９は、図３に示すように、前端部側に向かって縮径するように前方に突出する傾斜部９ａと、後端部外周に形成され糸巻胴部７ａの雌ねじ部１６ｂに螺合する筒状の雄ねじ部９ｂとを有している。傾斜部９ａの後端部は、前フランジ部８の板状の前端面に接触するように装着可能であり、前フランジ部８を第１突出部１７ａとで挟持可能である。前フランジ固定部材９の内周部には、ドラグ機構６０のつまみ部６１の後端側から後方部分が収納されている。
【００３８】
ドラグ機構６０は、スプール４とスプール軸１５との間に装着されスプール４にドラグ力を作用させるための機構である。ドラグ機構６０は、ドラグ力を手で調整するためのつまみ部６１と、つまみ部６１によりスプール４側に押圧される複数枚のドラグ板６２とを有している。
【００３９】
次にリールの操作及び動作について説明する。
【００４０】
キャスティング時にはベールアーム４４を糸開放姿勢に反転させる。これにより第１ベール支持部材４０及び第２ベール支持部材４２は揺動する。この状態で釣竿を握る手の人差し指で釣り糸を引っかけながら釣竿をキャスティングする。すると釣り糸は仕掛けの重さにより勢いよく放出される。仕掛けが着水した後ハンドル１を釣り糸巻き取り方向に回転させると、ロータ駆動機構５によりロータ３が釣り糸巻き取り方向に回転し、ベールアーム４４が図示しないベール反転機構により釣り糸巻き取り位置に復帰しロータ３の逆転が禁止されているので釣り糸の放出が止まる。
【００４１】
釣り糸を巻き取る際には、ハンドル１を釣り糸巻き取り方向に回転させる。すると、その回転がフェースギア１１、ピニオンギア１２を介してロータ３に伝達されロータ３が回転する。ロータ３が回転すると、ラインローラ４１に案内された釣り糸がスプール４に巻き付けられる。
【００４２】
このようなスピニングリールでは、後フランジ部１８ｅは、糸巻胴部７ａの後端部から第１突出部１７ａの径方向長さＡと略同一長さになるように径方向外方に突出する第２突出部１８ａを有しているので、釣人は第１突出部１７ａ及び第２突出部１８ａの先端部位置、すなわち第１傾斜部１７ｂ及び第２傾斜部１８ｂの基端部位置である第１角部１７ｄ及び第２角部１８ｄが釣り糸の最大巻き付け位置Ｌとなる目安として釣り糸を糸巻胴部７ａに巻き付けることにより、釣り糸を前フランジ部８（第１傾斜部１７ｂ）の先端部位置の高さの限界まで巻き付けることを防止できる。したがって、釣り糸が束になって前フランジ部８より前方へ糸落ちすることがなくなるので、バックラッシュを防止することができる。
【００４３】
また、ここでは、前フランジ部８は、第１突出部１７ａの先端部から前端部側に向かって拡径するように前方に突出する第１傾斜部１７ｂを有しているので、釣り糸が第１傾斜部１７ｂに乗り上げたとしても、それ以上前方に釣り糸が移動しにくくなる。したがって、このような第１傾斜部１７ｂを設けることにより、バックラッシュを確実に防止することができる。
【００４４】
さらに、ここでは、第１傾斜部１７ｂの径方向長さＣ及び第２傾斜部１８ｂの径方向長さＤは、第１突出部１７ａの径方向長さＡ及び第２突出部１８ａの径方向長さＢに対して比較的長く形成されているので、バックラッシュをより確実に防止することができる。
【００４５】
〔他の実施形態〕
（ａ）  前記実施形態では、釣り糸の巻き付け量が中程度のスプールを例にあげて説明したが、他のあらゆるスピニングリールのスプールに本発明を適用できる。たとえば、図１１に示すように、釣り糸の巻き付け量が少ない浅溝スプールにも本発明を適用できる。
【００４６】
（ｂ）  前記実施形態では、糸巻胴部７ａとスカート部７ｂとを金属によって一体成形されていたが、たとえば合成樹脂によって糸巻胴部７ａとスカート部７ｂとを一体成形したり、あるいは糸巻胴部７ａとスカート部７ｂとを異なる材質の部材によって別体で構成してもよい。
【００４７】
（ｃ）  前記実施形態では、２つの第１軸受５６及び第２軸受５７を用いたが、これに限定されるものではなく、たとえば１つの軸受のみ用いる構成にしてもよい。
【００４８】
（ｄ）  前記実施形態では、前フランジ部８は、第１傾斜部１７ｂと第１突出部１７ａとが別体で形成されていたが、図５に示すように、第１傾斜部１１７ｂと第１突出部１１７ａとを一体成形してもよい。
【００４９】
（ｅ）  前記実施形態では、第１傾斜部１７ｂの径方向長さＣは、第２傾斜部１８ｂの径方向長さＤと略同一であったが、図６に示すように、第１傾斜部２１７ｂの径方向長さＣは、第２傾斜部２１８ｂの径方向長さＤより大きくなるようにしてもよい。また、図示しないが、第１傾斜部の径方向長さＣは、第２傾斜部の径方向長さＤより小さくなるようにしてもよい。
【００５０】
（ｆ）  前記実施形態では、第２傾斜部１８ｂは、先端部が円筒部１８ｃの前端部と滑らかに接続されていたが、図７に示すように、後端部側に向かって拡径するように後方に傾斜するように第２傾斜部３１８ｂを形成してもよい。また、図１０に示すように、スカート部７ｂは、円筒部１８ｃを設けないで、後フランジ部４１８ｅ（第２突出部４１８ａ及び第２傾斜部４１８ｂ）のみ設ける構成にしてもよい。
【００５１】
（ｇ）  前記実施形態では、前フランジ固定部材９は、傾斜部９ａの後端部が前フランジ部８の板状の前端面に接触するように装着されていたが、図８及び図９に示すように、傾斜部１０９ａの後端部が第１傾斜部１７ｂの前端面に接触するように装着してもよい。ここでは、傾斜部１０９ａが第１傾斜部１７ｂに覆われるように配置されているので、リールを落下させたときでも、前フランジ固定部材１０９の傷付きを防止できる。なお、図８では、傾斜部１０９ａの後端部が、第１傾斜部１７ｂの前端面だけでなく前フランジ部８の板状の前端面にも接触しているが、図９では、第１傾斜部１７ｂの前端面のみに接触するように配置されている。また、傾斜部１０９ａの前端部には、図８及び図９に示すように、前方に突出する円筒部９ｃが形成されており、円筒部９ｃの内周部には、ドラグ機構６０のつまみ部６１の後端側から後方部分が収納されている。
【００５２】
（ｈ）  前記実施形態では、糸巻き胴部７ａがスプール軸と平行な糸巻き面を有しているが、僅かに先細り又は先広がりのテーパ面に糸巻き面が形成されている円錐台形状の糸巻き胴部も本発明の円筒状の糸巻き胴部に含まれる。
【図面の簡単な説明】
【００５３】
【図１】本発明の一実施形態によるスピニングリールの側面図。
【図２】前記スピニングリールの側面断面図。
【図３】前記スピニングリールのスプールの側面拡大断面図。
【図４】前記スプールの寸法関係を示す側面拡大断面図。
【図５】他の実施形態の図３に相当する図。
【図６】他の実施形態の図３に相当する図。
【図７】他の実施形態の図３に相当する図。
【図８】他の実施形態の図３に相当する図。
【図９】他の実施形態の図３に相当する図。
【図１０】他の実施形態の図３に相当する図。
【図１１】他の実施形態の図３に相当する図。
【図１２】第２突出部と第２傾斜部との境界部分の拡大部分図。
【符号の説明】
【００５４】
１  ハンドル
２  リール本体
３  ロータ
４  スプール
５  ロータ駆動機構
６  オシレーティング機構
７ａ  糸巻胴部
７ｂ  スカート部
７ｃ  溝部
８  前フランジ部
９  前フランジ固定部材
９ａ  傾斜部
９ｂ  雄ねじ部
９ｃ  円筒部
１６ａ  円筒部
１６ｂ  雌ねじ部
１６ｃ  内周部
１６ｄ  第１支持部
１６ｅ  第２支持部
１７ａ  第１突出部
１７ｂ  第１傾斜部
１７ｃ  段差部
１７ｄ  第１角部
１８ａ  第２突出部
１８ｂ  第２傾斜部
１８ｃ  円筒部
１８ｄ  第２角部
１８ｅ  後フランジ部
【図１】
2007111035.tif 000003
【図２】
2007111035.tif 000004
【図３】
2007111035.tif 000005
【図４】
2007111035.tif 000006
【図５】
2007111035.tif 000007
【図６】
2007111035.tif 000008
【図７】
2007111035.tif 000009
【図８】
2007111035.tif 000010
【図９】
2007111035.tif 000011
【図１０】
2007111035.tif 000012
【図１１】
2007111035.tif 000013
【図１２】
2007111035.tif 000014